(57)【特許請求の範囲】
【請求項１】
断面一様なストレート管路にＴ字形の分岐口部が形成され、前記管路の両側に流体管が接続されるとともに、前記分岐口部に分岐管が接続される異形管であって、
前記管路の前記分岐口部の両側のそれぞれに、前記分岐口部に分岐管を接続するために支障を生じないための長さを確保するための非切断部と、該非切断部から延設される長さ調整のための切断可能部とが形成されるとともに、
前記管路の前記非切断部と前記切断可能部との境界には目印が形成されていることを特徴とする異形管。
【請求項２】
前記分岐口部に、弁部が設けられていることを特徴とする請求項１に記載の異形管。
【請求項３】
断面一様なストレート管路にＴ字形の分岐口部が形成され、前記管路の両側に流体管が接続されるとともに、前記分岐口部に分岐管が接続される異形管の敷設方法であって、
前記異形管は、前記分岐口部の両側のそれぞれに、前記分岐口部に分岐管を接続するために支障を生じないための長さを確保するための非切断部と、該非切断部から延設される長さ調整のための切断可能部とが形成されるとともに、前記管路の前記非切断部と前記切断可能部との境界には目印が形成され、
前記分岐口部を前記分岐管に対し所定の位置に収まるように、少なくとも一方の前記切断可能部を切断し、
前記異形管の両側に配置される前記流体管を切断せずに、継輪又は押輪を介して異形管の両側の管路に接続することを特徴とする異形管の敷設方法。
【発明の詳細な説明】
【技術分野】
【０００１】
本発明は、少なくとも１つの異形部を備えた鋳鉄製の異形管及びその敷設方法に関する。
【背景技術】
【０００２】
従来、ダクタイル鋳鉄管などの金属管を管路に沿って敷設していく場合、管を切断する場合が多い。例えば、管の受口と挿口とを互いに接合するものにおいて管長さが合わないときは、管の敷設現場で挿口側を所要の長さに切断する切り管を行うことで、その長さが調整されることが多い。（例えば、特許文献１参照）。
【０００３】
ところで、例えば、分岐口部、弁部、曲り部などの異形部を備えた異形管においては、分岐口部、弁部、曲り部などの異形部が最適な設置位置に収まるように位置決めされ、両側の管路に接続される必要がある。このとき、例えば異形管の両側の管路が既に配設してある場合、大規模工事を避けるためこれ等既設の管路の切断が制限され、したがって異形管を切断する必要が生じるが、異形部を備えているので異形管の全体の管長さを所定の長さに切断すればよいというものではなく、異形部の最適な設置位置を基準にして両側の管路に接続できる管長さで無駄なく切断される必要がある。また、異形管の一端に挿口または受口が設けられ、他端には何らの加工もされていないような場合には、できるだけ、挿口等が設けられている側の端部の切断を行うことなく、挿口等が設けられていない側の端部を切断して両側の管路に接続ができれば、合理的である。
【先行技術文献】
【特許文献】
【０００４】
【特許文献１】特開平１０−２８１３５８号公報（第２頁、第４図）
【発明の概要】
【発明が解決しようとする課題】
【０００５】
上記特許文献１に記載の発明は、分岐口部または弁部などの異形部を備えた異形管のものではなく、単に、直管の挿口側を所定の長さに切断し、切断された挿口側に簡単に新たな挿口を形成する発明が開示されているに過ぎない。また、その他、分岐口部または弁部などの異形部を備えた異形管の長さ調節に関する技術を開示した文献を発見することができない。
【０００６】
本発明は、このような状況に鑑みなされたもので、分岐口部、弁部、または、曲部などの異形部を備えた鋳鉄製の異形管において、その敷設が容易な異形管及びその敷設方法を提供することを目的とする。
【課題を解決するための手段】
【０００７】
前記課題を解決するために、本発明の異形管は、
断面一様なストレート管路にＴ字形の分岐口部が形成され、前記管路の両側に流体管が接続されるとともに、前記分岐口部に分岐管が接続される異形管であって、
前記管路の前記分岐口部の両側のそれぞれに、前記分岐口部に分岐管を接続するために支障を生じないための長さを確保するための非切断部と、該非切断部から延設される長さ調整のための切断可能部とが形成されるとともに、
前記管路の前記非切断部と前記切断可能部との境界には目印が形成されていることを特徴としている。
この特徴によれば、分岐口部を最適な所定の設置位置に収まるように位置決めした上で、当該異形管の両側の管路の位置にそれぞれ対応して当該異形管の長さを調節できるため、異形部を所定の位置に配設できるとともに、当該異形管の両側に接続される管路に切断加工を施すことなく、管路の敷設を迅速に行うことができる。さらに、異形管の機能を損なうような切断を防止しつつ長さ調節のための切断をすることができる。
【００１０】
本発明の異形管は、
前記分岐口部に、弁部が設けられていることを特徴としている。
この特徴によれば、弁部を最適な所定の設置位置に配設することができるとともに、当該異形管の両側に接続される管路に切断加工を施すことなく、管路の敷設を迅速に行うことができる。
【００１３】
本発明の異形管の敷設方法は、
断面一様なストレート管路にＴ字形の分岐口部が形成され、前記管路の両側に流体管が接続されるとともに、前記分岐口部に分岐管が接続される異形管の敷設方法であって、
前記異形管は、前記分岐口部の両側のそれぞれに、前記分岐口部に分岐管を接続するために支障を生じないための長さを確保するための非切断部と、該非切断部から延設される長さ調整のための切断可能部とが形成されるとともに、前記管路の前記非切断部と前記切断可能部との境界には目印が形成され、
前記分岐口部を前記分岐管に対し所定の位置に収まるように、少なくとも一方の前記切断可能部を切断し、
前記異形管の両側に配置される前記流体管を切断せずに、継輪又は押輪を介して異形管の両側の管路に接続することを特徴としている。
この特徴によれば、分岐口部を備えた異形管において、その異形部を最適な所定の設置位置に収まるように位置決めした上で、当該異形管の両側の管路の位置にそれぞれ対応して当該異形管の長さを調節できるため、異形部を所定の位置にセットできるとともに、当該異形管の両側に接続される管路に切断加工を施すことなく、継輪又は押輪を介して異形管の両側の管路に接続を行うことができ、異形管の敷設作業を容易かつ、確実に行うことができる。さらに、異形管の機能を損なうような切断を防止しつつ長さ調節のための切断をすることができる。
【図面の簡単な説明】
【００１４】
【図１】（ａ）、（ｂ）は、実施例１における異形管の一例を示す正面図である。
【図２】（ａ）、（ｂ）は、異形管の変形例を示す正面断面図である。
【図３】（ａ）、（ｂ）は、異形管のその他の変形例を示す正面断面図である。
【図４】（ａ）〜（ｃ）は、図１に示す異形管の敷設方法の一例を説明する図である。
【図５】実施例２における異形管の一例を示す一部断面の正面図である。
【発明を実施するための形態】
【００１５】
本発明に係る異形管及びその敷設方法を実施するための形態を実施例に基づいて以下に説明する。
【実施例１】
【００１６】
実施例１に係る異形管及びその敷設方法につき、図１（ａ）、（ｂ）を参照して説明する。図１（ａ）、（ｂ）において、異形管１は、地中に埋設されるダクタイル鋳鉄若しくはその他鋳鉄製の管であって、内部には流体としての上水が流れるもので、ストレートの形状をしており、長さ方向における略中間位置に異形部を構成する分岐口部２を有している。該分岐口部２にはフランジ3が設けられ、該フランジ３に盲フランジ4がパッキン等を介してボルト5により密封状に締め付け固定されている。必要に応じて、盲フランジ4を取り外し、フランジ３に図示しない別の分岐管のフランジを取り付ければ、Ｔ字形の分岐管を敷設することができる。尚、本実施例では異形管１内の流体は上水であるが、異形管１の内部を流れる流体は必ずしも上水に限らず、例えば工業用水や下水等の他、ガスやガスと液体との気液混合体であっても構わない。
【００１７】
ここで、本発明における「異形管」について説明すると、本発明において「異形管」とは、例えば管路を曲げたり、分岐したり、弁体を取り付けたり、挿口若しくは受口形状を有していたり、様々な異形部を有する管の総称をいい、管の断面の形状は、円形若しくは矩形等を含み、特に限定されるものではない。
【００１８】
図１（ａ）に示すように、異形管１は、分岐口部２を中心にして左右両側にそれぞれ最小限必要とされる長さＬ１（以下、「最小必要長さＬ１」という。）が設定されており、該最小必要長さＬ１に加えて、長さ調節のための切断代Ｌ２を有する。この場合、最小必要長さＬ１は、分岐口部２に分岐管を接続したりする際に作業に支障を生じないために必要とされる長さであり、通常、左右同じ長さであるが、必要に応じて左右の最小必要長さＬ１を変更してもよい。そして、この最小必要長さＬ１の位置、すなわち、切断代の最大切断可能部分には、識別可能な目印６が付されている。識別可能な目印としては、色彩をもった線などを、直接、異形管に付すことや、あるいは、テープなどを異形管に接着したり、または目印６の位置を境界としてＬ１の領域とＬ２の領域とに互いに異なる色彩を付すことなど種々のものが採用可能である。したがって、上記切断代Ｌ２は、最大切断可能部分を意味する。
【００１９】
一方、切断代Ｌ２は、例えば、異形管１の分岐口部２を最適な所定の設置位置に設置するため、異形管１の両側に接続される管路の長さを調節したり、位置の変更が望ましくない場合などにおいて、異形管１自体の長さを調節して両側の管路に接続するための調節代であり、実際に現場において切断される長さは当該異形管の敷設現場に応じて切断代Ｌ２の範囲内で決められるものであって、切断代Ｌ２を大きく設定し過ぎるとコストアップにつながることなどから、合理的な値に設定されるものである。また、異形管１の左右の切断代Ｌ２の長さは、同じでも、あるいは、異なってもよい。
【００２０】
図１（ｂ）は、異形管１の左右の切断代Ｌ２の範囲内において必要長さに切断された状態を示したものである。この異形管１の切断面７は金属素地面が露出するため、施工現場で防蝕加工を施す必要がある。特に、離脱防止型の管継手を用いる場合、端部の挿口の外周に嵌合溝及びテーパ状切削面を現場施工で形成し、嵌合溝に挿口突部を嵌着するので、前記嵌合溝及びテーパ状切削面の金属素地が大きく露出する。このため、切断面７、嵌合溝及びテーパ状切削面から後方へかけての防蝕加工は不可欠である。この防蝕加工としては、施工現場で防蝕塗料を刷毛やスプレーにより塗装したり、溶射処理を施したり、ゴム製のキャップを嵌着したり、あるいは、熱収縮チューブを加熱して収縮する手段等から選択され、施工される。
【００２１】
このように、異形管１の分岐口部２に接続される分岐管（図示略）を最適な所定の設置位置に配設することができるとともに、異形管１の両側に接続される管路に切断加工を施すことなく、管路の敷設を迅速に行うことができる。
【００２２】
図２（ａ）、（ｂ）は、実施例１における異形管の変形例を示す正面断面図である。図２（ａ）、（ｂ）では、異形管５１は、Ｔ字形の分岐口部１０を有し、該分岐口部１０に弁体１１が設けられた構成となっており、弁体１１は、弁軸１２が地上から操作されることにより、流路１３を全開位置１４、全閉位置１５及び分岐位置１６の状態に切換えられるようになっている。すなわち弁体１１及び弁軸１２が、本発明の異形部である弁部を構成している。尚、本例においては、Ｔ字形の分岐口部に弁体を設ける場合に限定されることはなく、例えば、ストレートな管の途中にＯＮ‐ＯＦＦする弁体が設けられる場合も包含されるものであり、要は、弁部が異形部を構成するものである。
【００２３】
図２（ａ）において、異形管５１の長手方向の略中央に位置して分岐口部１０及び弁体１１が設けられており、分岐口部１０及び弁体１１を中心にして左右両側にそれぞれ最小必要長さＬ１が設定されており、該最小必要長さＬ１に加えて、長さ調節のための切断代Ｌ２を有する。最小必要長さＬ１及び切断代Ｌ２の技術的意義は図１の場合と同じであり、説明は省略する。そして、この最小必要長さＬ１の位置、すなわち、切断代の最大切断可能部分には、識別可能な目印６が付されている。
【００２４】
図２（ｂ）は、異形管５１の左右の切断代Ｌ２の範囲内において実際に必要な長さに切断された状態を示したものである。切断面７にはもちろん、端部に嵌合溝及びテーパ状切削面が形成される場合には、これらの部分に、施工現場で防蝕塗料を刷毛やスプレーにより塗装したり、溶射処理を施したり、ゴム製のキャップを嵌着したり、あるいは、熱収縮チューブを加熱して収縮させたりする防蝕手段が施される。
【００２５】
このように、異形管５１の弁部である弁体１１及び弁軸１２を最適な所定の設置位置に配設することができるとともに、異形管５１の両側に接続される管路に切断加工を施すことなく、管路の敷設を迅速に行うことができる。
【００２６】
図３（ａ）、（ｂ）は、実施例１における異形管のその他の変形例を示す正面図である。図３（ａ）、（ｂ）では、異形管５２は、曲り角度θが９０゜の曲り部１７を有し、該曲り部１７が異形部を構成するものである。曲り角度θは任意の値をとり得るものである。図３（ａ）において、異形管５２の曲り部１7を中心にして左右両側にそれぞれ最小必要長さＬ１が設定されており、該最小必要長さＬ１に加えて、長さ調節のための切断代Ｌ２を有する。最小必要長さＬ１及び切断代Ｌ２の技術的意義は図１の場合と同じであり、説明は省略する。そして、この最小必要長さＬ１の位置、すなわち、切断代の最大切断可能部分６には、識別可能な目印が付されている。
【００２７】
図３（ｂ）は、異形管５２の左右の切断代Ｌ２の部分において必要長さに切断された状態を示したものである。切断面７にはもちろん、端部に嵌合溝及びテーパ状切削面が形成される場合には、これらの部分に、施工現場で防蝕塗料を刷毛やスプレーにより塗装したり、溶射処理を施したり、ゴム製のキャップを嵌着したり、あるいは、熱収縮チューブを加熱して収縮させたりする防蝕手段が施される。
【００２８】
このように、異形管５２の曲り部１７を最適な所定の設置位置に配設することができるとともに、異形管５２の両側に接続される管路に切断加工を施すことなく、管路の敷設を迅速に行うことができる。
【００２９】
図４（ａ）〜（ｃ）は、図１に示す異形管の敷設方法の一例を説明する図である。図４（ａ）は、異形管１の両側が分岐口部２を基点として接続される左右の管路に接合できる所定の長さに切断された後、この異形管１の右端が、右側の管路を構成する流体管３０の受口３１に接続され、異形管１の左端が、左側の管路を構成する流体管３２に離脱防止機構を有した移動継輪３３を介して接続される様子を示したものである。この場合、異形管１の切断部に防蝕塗料の塗布などの防蝕手段が施されていることはいうまでもない。尚、本敷設方法においては、左右の管路を構成する流体管３２，３０が管軸方向に移動不能に予め配設されている。
【００３０】
図４（ａ）において、受口３１に接続される異形管１の右側端部には、受口３１の内部に挿入される挿口２０が形成されている。受口３１の開口部の外周にはフランジ３４が一体に形成され、受口３１の開口部の内周には、その開口端に向かって徐々に拡径するテーパ状のシール材圧接面（図示略）が形成されている。挿口２０には環状のゴム製のシール材２１が外嵌されており、このシール材２１は、挿口２０の外周面２２と受口３１のシール材圧接面との間に配置されるようになっている。
【００３１】
挿口２０におけるシール材２１よりも分岐口部２側の部分には、環状体としての離脱防止機構を有した押輪２３が外嵌されている。尚、この押輪は、周方向に連続した環状に形成されたもの、あるいは、周方向に沿って所定数に分割され、その分割部がボルトなどによって接合された構成であっても構わない。押輪２３における周方向に沿った複数の位置には、フランジ２４が形成されている。そして、図４（ｂ）に示すように、この押輪２３のフランジ２４と受口３１のフランジ３４とにわたって、締結要素２５が配置されている。２６は押圧ボルトであり、この押圧ボルト２６は、押輪２３内に配設された図示しない押圧爪を管の外周に食い込ませ、押輪２３を所定の位置に固定するものである。
【００３２】
図４（ｂ）に示すように、受口３１と挿口２０とを互いに接合する際には、異形管１の切断代の範囲内において切断して形成した挿口２０に、予め、押圧爪を収容した押輪２３と、シール材２１とを外嵌しておき、その状態の挿口２０を受口３１に挿入する。そして、締結要素２５により押輪２３を受口３１のフランジ３３に締結することで、シール材２１を圧縮するとともに、押輪２３の固定を行う。次に、押圧ボルト２６を操作することで押圧爪を挿口２０の外周面２２に押圧して固定し、受口３１と挿口２０との接合作業が完了する。尚、押輪２３と挿口２０の外周面２２との隙間などに充填材を充填してもよい。
【００３３】
次に、異形管１の左端に左側の管路を構成する流体管３２が移動継輪３３を介して接続されるものであって、図４（ａ）及び（ｂ）では、移動継輪３３が左側の流体管３２の外周面に遊嵌され、待機している状態が示されている。移動継輪３３は、左右両側に継手部３５、３５を備え、これら継手部３５、３５は、同じ構造をしており、その向きが左右対称に配置されている。図４（ｃ）に示すように、移動継輪３３が異形管１側に移動して、右側の継手部３５の大径部３６内に、異形管１の切断代の範囲内において切断して形成した左側のストレート端部３７が挿入され、該大径部３６の内面と異形管１の左側のストレート端部３７の外周面との間に嵌入されたシール部材（図示略）を介して両者は密封状に嵌合され、押しボルト３８により固定的に接続される。同時に、左側の継手部３５の大径部３６内に流体管３２の右側のストレート端部３９が配置され、該大径部３６の内面と流体管３２の右側のストレート端部３９の外周面との間に嵌入されたシール部材（図示略）を介して両者は密封状に嵌合され、押しボルト３８により固定的に接続される。
【００３４】
上記のように、異形管１の敷設においては、離脱防止機構一体の受口３１が設けられた右側の流体管３０、及び、左側の流体管３２には敷設のための加工を行う必要がなく、異形管１の左右両側の切断代の範囲内において必要な分だけ切断することで敷設が行われる。その際、分岐口部２の位置を基準にして異形管１の両側の切断長さを決めることができるため、分岐口部２の位置を所定の位置に配設することができる。また、異形管１の最大切断可能部分に目印が付されているため、誤って切り過ぎることもないので、現場での作業を安心かつ確実なものとすることができる。
【００３５】
図４に示した敷設例では、異形管１の一方に挿口を設け、他方は継輪で接続する例を示しているが、本発明はこれに限定されるものではなく、例えば異形管の両方に挿口を設ける態様、異形管の一方を受口とし他方を挿口とする態様、異形管の一方をフランジとし他方を挿口とする態様、異形管の両方に受口を設ける態様、あるいは、異形管の両方を継輪を介して接続する態様など、種々の態様に対応できることはいうまでもない。
【実施例２】
【００３６】
次に、実施例２に係る離脱防止手段につき、図５を参照して説明する。尚、前記実施例と同一構成で重複する構成を省略する。
【００３７】
図５に示す異形管５３は、その一方の端部に管接続のための挿口部４０を一体に有する点で図１と異なるが、その他の構成は図１の異形管１と同じである。したがって、本例においては、分岐口部２及び挿口部４０が異形管５３の異形部となる。図５においては、異形管５３の分岐口部２の右側の部分には異形部である挿口部４０が一体に設けられているため、長さ調節のための切断代を設けることができず、分岐口部２の左側の部分にだけに長さ調節のための切断代が備えられるもので、切断代の範囲内において実際に現場で切断された状態が示されている。そして、異形管５３の左側の切断部４９を防蝕するため、該切断部４９に樹脂とゴムからなるキャップ５０が嵌着されるようになっている。
【００３８】
異形管５３の右側の部分の挿口部４０と、それに嵌合接続される右側の管路を構成する流体管４１の受口４２との間には、挿口部４０の外周面と受口４２の内周面との間を密封可能な円環状の合成ゴム製の弾性シール材４３が設けられているとともに、挿口部４０の外周面で、かつ、周方向に等間隔を隔てた複数箇所（当該実施形態では８箇所）には、受口４２の端面と管軸芯方向から接当する接合用突起４４が形成されている。
【００３９】
受口４２の内周面に形成された円環状の取付け溝４５に、管軸芯方向視において略Ｃの字状に形成された拡径側に弾性変形可能なステンレス鋼製の係止部材４６と、これの拡径変形を許容する状態で該係止部材４６を受口４２と同軸心状態に保持する弾性保持リング４７とを装着するとともに、挿口部４０の外周面の先端部には、地震や不等沈下等に起因して両方の管１，４１が一定以上に相対離脱移動したとき、係止部材４６に対して管軸芯方向から接当してそれ以上の両方の管１，４１の相対離脱移動を阻止する円環状の抜止め突起４８が一体形成されている。
【００４０】
異形管５３を敷設するには、異形管５３の左右の流体管３２、４１に接合できる所定の長さに異形管５３の左側の切断代部分を切断し、異形管５３の挿口部４０を流体管４１の受口４２内に挿入する。次に、実施例１と同様に、異形管５３の左端に左側の流体管３２が移動継輪３３を介して接続される。
【００４１】
本実施例２によれば、予め工場等において異形管５３の切断代を備えた一方の端部とは異なる他方の端部に、管接続のための挿口部４０が設けられ、防蝕加工が施されているため、敷設現場においては、異形管５３の一方の端部のみを必要な長さに切断し、防蝕加工を施せばよいから、敷設現場においての加工作業を最低限のものとすることができる。なお、図５では、異形管５３の他端に異形部として挿口部４０を一体に設ける場合を示したが、異形部はこれに限らず、例えば挿口部４０に代えて受口部を一体に設けてもよい。
【００４２】
また、本実施例２の異形管５３の敷設方法によれば、異形部である分岐口部２及び挿口部４０を最適な所定の設置位置に収まるように位置決めした上で、異形管５３の両側の管路の位置にそれぞれ対応して異形管５３の長さを調節できるため、分岐口部２及び挿口部４０を所定の位置にセットできるとともに、異形管５３の両側に接続される管路に切断加工を施すことなく、移動継輪３３又は押輪を介して異形管５３の両側の管路に接続を行うことができ、異形管５３の敷設作業を容易かつ、確実に行うことができる。
【００４３】
以上説明したように、本発明の異形管１，５１〜５３によれば、異形部である分岐口部２、分岐口部１０、弁体１１、弁軸１２、曲り部１７若しくは挿口部４０を、最適な所定の設置位置に収まるように位置決めした上で、当該異形管の両側の管路の位置にそれぞれ対応して当該異形管の長さを調節できるため、各異形部を所定の位置に配設できるとともに、当該異形管の両側に接続される管路に切断加工を施すことなく、管路の敷設を迅速に行うことができる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、上記した実施例では、本発明の異形部として、異形管１が分岐口部２を有し、異形管５１が分岐口部１０、弁体１１及び弁軸１２を有し、異形管５２が曲り部１７を有し、更に異形管５３が挿口部４０を有しているが、例えば１本の異形管が、異形部としてこれ等分岐口部、弁部、曲り部、挿口部等のうちいずれかを複合して有していてもよい。
【符号の説明】
【００４６】
１                異形管
２                分岐口部
６                目印
７                切断面
１０              分岐口部
１１              弁体（弁部）
１２              弁軸（弁部）
１７              曲り部
２０              挿口
３０              流体管
３１              受口
３２              流体管
３３              移動継輪
３７              ストレート端部
４０              挿口部
４１              流体管
４２              受口
４９              切断部
５１〜５３        異形管
【図１】
0005918957.tif 000002
【図２】
0005918957.tif 000003
【図３】
0005918957.tif 000004
【図４】
0005918957.tif 000005
【図５】
0005918957.tif 000006